(57)【特許請求の範囲】
【請求項１】
建物外部の空気を吸込む室外吸込口と、建物内部の空気を吸込む室内吸込口と、前記室外吸込口から吸込んだ空気と前記室内吸込口から吸込んだ空気との熱交換を行なう熱交換器と、前記熱交換器で熱交換された前記室外吸込口から吸込んだ空気を建物内部に吐出する室内吐出口と、前記熱交換器で熱交換された前記室内吸込口から吸込んだ空気を建物外部に吐出する室外吐出口と、前記室外吸込口から前記室内吐出口への空気の流れを発生させる給気用羽根と、前記室内吸込口から前記室外吐出口への空気の流れを発生させる排気用羽根と、前記給気用羽根と前記排気用羽根とを回転させる羽根用モータと、前記熱交換器と前記室外吐出口との間の排気通風路に設けられ前記室外吐出口を開閉自在な第一のシャッタと、前記室外吸込口と前記熱交換器との間の給気通風路に設けられ前記室外吸込口を開閉自在な第二のシャッタと、一端を前記熱交換器に接続し他端を前記室外吸込口と前記室外吐出口との間のケーシング面に接続して前記排気通風路の空気と前記給気通風路の空気が交わらないように前記排気通風路と前記給気通風路との間を仕切る仕切板と、を備えたことを特徴とする空調換気装置。
【請求項２】
前記排気通風路に設けられ前記第一のシャッタに対して前記室外吐出口と反対側に前記ケーシング面に略平行な面を有し前記第一のシャッタを支持するシャッタ支持部と、前記給気通風路に設けられ前記第二のシャッタに対して前記室外吸込口と反対側に前記ケーシング面に略平行な面を有し前記第二のシャッタを支持するシャッタ支持部と、を備えたことを特徴とする請求項１記載の空調換気装置。
【請求項３】
第一のシャッタが室外吐出口を開放しているか否かを検知する第一の検知手段と、第二のシャッタが室外吸込口を開放しているか否かを検知する第二の検知手段とを有し、前記第一の検知手段及び前記第二の検知手段がともに開放していることを検知できなければ羽根用モータを駆動させないことを特徴とする請求項１または請求項２いずれか記載の空調換気装置。
【請求項４】
仕切板は、室外吸込口と室外吐出口とを有するケーシング面と略平行な中間部を有し、第一のシャッタは、室外吐出口を開放する状態では排気通風路内の仕切板の中間部上に収められ、第二のシャッタは、室外吸込口を開放する状態では給気通風路内の前記仕切板の前記中間部上に収められることを特徴とする請求項１から請求項３いずれか記載の空調換気装置。
【請求項５】
仕切板は、室外吸込口と室外吐出口とを有するケーシング面と略平行な中間部と、前記中間部に対して略直角な第一の端部と、前記中間部に対して前記第一の端部と反対方向に略直角な第二の端部とを有し、前記第一の端部から前記第二の端部までの距離は第一のシャッタ及び第二のシャッタのいずれか長い方の長さ以上であることを特徴とする請求項１から請求項４いずれか記載の空調換気装置。
【請求項６】
回転自在な回転軸を有し、前記回転軸は第一のシャッタと連動して回転し、前記回転軸の回転に連動して第二のシャッタが移動することを特徴とする請求項１から請求項５いずれか記載の空調換気装置。
【請求項７】
回転軸の一端はモータに接続され、前記モータによる前記回転軸の回転に連動して第一のシャッタ及び第二のシャッタが移動することを特徴とする請求項６記載の空調換気装置。
【請求項８】
ラックを有する第一のシャッタと、前記ラックと噛み合う第一の歯車と、前記第一の歯車と同軸上に設置され前記第一の歯車と連動する第二の歯車と、前記第二の歯車と噛み合うラックを有する第二のシャッタとを有することを特徴とする請求項６または請求項７いずれか記載の空調換気装置。
【発明の詳細な説明】
【０００１】
【発明の属する技術分野】
この発明は、建物外部と建物内部とで空気の換気を行なう空調換気装置に関するものである。
【０００２】
【従来の技術】
図６（ａ）は一般的な空調換気装置の略断面図であり、（ｂ）はその内の一部を拡大した拡大図である。図６（ａ）中、空調換気装置１０１は、モータ１０２によって回転する排気用羽根１０３により室内吸込口１０４から空気を吸込み熱交換器１０５を経由して室外吐出口１０６から吐出し、同時に、モータ１０２によって回転する給気用羽根１０７により室外吸込口１０８から空気を吸込み熱交換器１０５を経由して室内吐出口１０９から吐出する。この時、熱交換器１０５でそれぞれの空気の熱交換を行なう。
【０００３】
なお、この空調換気装置１０１は、室外吐出口１０６と室外吸込口１０８とが配置されたケーシング面１１０が壁１１１に据え付けられ、この壁１１１には室外吐出口１０６と室外吸込口１０８に対向する位置に予め建物外部と建物内部とを連通する孔が設けられている。
【０００４】
このような空調換気装置１０１には、モータ１０２を止め、運転を停止した場合に、建物外部から空気が流入するのを防ぐ目的で室外吐出口１０６と室外吸込口１０８とを塞ぐための閉鎖手段を設けられているのが一般的である。このような例として実開昭６０−１８２６３２号公報では空調換気装置１０１内の室外吐出口１０６と室外吸込口１０８とが設けられているケーシング面１１０に平行して仕切板１１２を設け、その間にシャッタ１１３を設置している。
【０００５】
図７は、このシャッタ１１３の構成であり、１枚の板に室外吐出口１０６と室外吸込口１０８とに相対する位置に孔１１４と孔１１５を設け、運転時には、これらの孔を経由して換気を行ない、運転停止時にはこの板をスライドさせ室外吐出口１０６と室外吸込口１０８とを塞ぐものである。
【発明が解決しようとする課題】
しかし、このような構成の空調換気装置１０１はシャッタ１１３を破損させることなく滑らかに動作させるため、仕切板１１２とシャッタ１１３との間に隙間が設けられているため、この隙間によって室外吐出口１０６と室外吸込口１０８とが連通されてしまう。このため、図６（ｂ）のＡ部拡大図に示したように、この仕切板１１２とシャッタ１１３との間に、熱交換器１０５から室外吐出口１０６へ向かう空気の一部が入り込み、一方、室外吸込口１０８からは冷たい外気を吸込むため熱伝導により、シャッタ１１３、仕切板１１２が冷やされ、これによって結露１１６が生じてしてしまい、かびが発生し換気が汚染されたり壁にかびが増殖するという問題と、換気効率が低下するという問題があった。
【０００６】
この発明は、このような問題を解決するためになされたものであり、結露を低減し、換気効率の低下を防ぐことを目的としている。
【０００７】
【課題を解決するための手段】
熱交換器と室外吐出口との間の排気通風路に設けられ室外吐出口を開閉自在な第一のシャッタと、室外吸込口と熱交換器との間の給気通風路に設けられ室外吸込口を開閉自在な第二のシャッタと、一端を熱交換器に接続し他端を室外吸込口と室外吐出口との間のケーシング面に接続して排気通風路の空気と給気通風路の空気が交わらないように排気通風路と給気通風路との間を仕切る仕切板とを備える。
【０００８】
また、排気通風路に設けられ第一のシャッタに対して室外吐出口と反対側にケーシング面に略平行な面を有するシャッタ支持部と、給気通風路に設けられ第二のシャッタに対して室外吸込口と反対側にケーシング面に略平行な面を有するシャッタ支持部とを備える。
【０００９】
また、第一のシャッタが室外吐出口を開放しているか否かを検知する第一の検知手段と、第二のシャッタが室外吸込口を開放しているか否かを検知する第二の検知手段とを有し、第一の検知手段及び第二の検知手段がともに開放していることを検知できなければ羽根用モータを駆動させない。
【００１０】
さらに、仕切板は、室外吸込口と室外吐出口とを有する壁面と略平行な中間部と、中間部に対して略直角な第一の端部と、中間部に対して第一の端部と反対方向に略直角な第二の端部とを有し、第一の端部から第二の端部までの距離は第一のシャッタ及び第二のシャッタのいずれか長い方の長さ以上である。
【００１１】
またさらに、第一のシャッタは、室外吐出口を開放する状態では排気通風路内の仕切板の中間部上に設置され、第二のシャッタは、室外吸込口を開放する状態では給気通風路内の仕切板の中間部上に設置される。
【００１２】
さらにまた、回転自在な回転軸を有し、前記回転軸は第一のシャッタと連動して回転し、前記回転軸の回転に連動して第二のシャッタが移動する。
【００１３】
また、回転軸の一端はモータに接続され、モータによる回転軸の回転に連動して第一のシャッタ及び第二のシャッタが移動する。
【００１４】
さらに、ラックを有する第一のシャッタと、ラックと噛み合う第一の歯車と、第一の歯車と同軸上に設置され第一の歯車と連動する第二の歯車と、第二の歯車と噛み合うラックを有する第二のシャッタとを有する。
【００１５】
【発明の実施の形態】
実施の形態１．
図１はこの発明の実施の形態１における空調換気装置の略断面図である。図中、空調換気装置１は、羽根用モータ２によって回転する排気用羽根３により室内吸込口４から空気を吸込み第一の排気通風路５、熱交換器６及び第二の排気通風路７を経由して室外吐出口８から吐出し、同時に、羽根用モータ２によって回転する給気用羽根９により室外吸込口１０から空気を吸込み第一の給気通風路１１、熱交換器６及び第二の給気通風路１２を経由して室内吐出口１３から吐出する。この時、熱交換器６でそれぞれの空気の熱交換を行なう。
【００１６】
なお、この空調換気装置１は、室外吐出口８と室外吸込口１０とが設けられたケーシング面１４が建物の壁１５に向かい合うように設置され、この壁１５には室外吐出口８と室外吸込口１０とに対向する位置に予め建物外部と建物内部とを連通する孔が設けられている。
【００１７】
このような、これまでの空調換気装置と同等の機能に加え、この実施の形態１における空調換気装置１は、その内部にスライド自在な第一のシャッタ１６及び第二のシャッタ１７が室外吐出口８と室外吸込口１０との間に設けられ、これら第一のシャッタ１６と第二のシャッタ１７との間は仕切板１８によって、室外吐出口８と室外吸込口１０との間から熱交換器６まで仕切られている。
【００１８】
この仕切板１８の一端は室外吐出口８と室外吸込口１０の中間よりも室外吸込口１０側でケーシング面１４と接続され、その位置からおおよそ第一のシャッタ１６の厚みに相当する程度、図に向かって下方向の部分で室外吐出口８に向かって略直角に曲げられ、仕切板１８の一部はケーシング面１４と略平行となる面を形成する。仕切板１８はさらに熱交換器６に向かって略直角に曲げられ、その他端が熱交換器６に接続され熱交換器６を固定する役割を果たしている。
【００１９】
なお、仕切板１８のケーシング面１４と略平行である面は、第一のシャッタ１６と第二のシャッタ１７と同程度かやや長く設定しているため、室外吐出口８と室外吸込口１０とが完全に開放できるようになっている。
【００２０】
また、図に向かって仕切板１８の両側には略Ｌ字型の第一のシャッタ支持部１９ａ、１９ｂが設けられている。第一のシャッタ支持部１９ａは図に向かって室外吐出口８よりも外側のケーシング面１４上に、一端が内側を向きケーシング面１４と略平行な面が得られるように設けられ、室外吐出口８に対向する位置に孔が形成されている。この第一のシャッタ支持部１９ａ、ケーシング面１４と仕切板１８とから形成される空間２０内を第一のシャッタ１６は移動自在であり、室外吐出口８を開放する場合は、第一のシャッタ１６はケーシング面１４と仕切板１８の平行面との間に収められ、閉鎖する場合は、第一のシャッタ１６の一端が第一のシャッタ支持部１９ａの平行面上の孔の縁にかかるようになっている。
【００２１】
これに対し、第二のシャッタ支持部１９ｂは図に向かって室外吸込口１０よりも外側のケーシング面１４上に、一端が内側を向きケーシング面１４と略平行な面が得られるように設けられ、室外吸込口１０に対向する位置に孔が形成されている。この第二のシャッタ支持部１９ｂ、ケーシング面１４と仕切板１８とから形成される空間２１内を第二のシャッタ１７は移動自在であり、室外吸込口１０を開放する場合は、第二のシャッタ１７は第二のシャッタ支持部１９ｂの平行面と仕切板１８の平行面との間に収められ、閉鎖する場合は、第二のシャッタ１７の一端が第二のシャッタ支持部１９ｂの平行面上の孔にかかるようになっている。
【００２２】
これら第一のシャッタ支持部１９ａ、１９ｂの役割は、室外吐出口８と室外吸込口１０とを各シャッタで閉じた時に、建物外部からの空気の流入により、各シャッタが圧力を受け変形することを防いでいる。このような時は羽根用モータ２を停止しているので、主として室外から室内への空気の圧力を考慮すればよく、各シャッタを室内側から支える機構を設けることが必要となる。
【００２３】
また、この実施の形態１では、室外吐出口８側に設けた第一のシャッタ１６がケーシング面１４に近い位置に設けられ、室外吸込口１０側に設けた第二のシャッタ１７がケーシング面１４から遠い位置に設けられているが、これが逆であると室外吸込口１０に対応して設けられたシャッタ支持部１９ｂ上の孔から給気用羽根９までの距離が大きくなり、吸込んだ空気が拡散する空間が増えるため給気効率が低下するおそれがある。
【００２４】
次に、この図１のＩ−Ｉ部分の略断面図である図２（ａ）及び、ＩＩ−ＩＩ部分の略断面図である図２（ｂ）を用いて、第一のシャッタ１６及び第二のシャッタ１７の動作について説明する。
【００２５】
図２（ａ）に示すように、第二のシャッタ１７は仕切板１８上を図の左右方向に移動自在に設けられている。この第二のシャッタ１７にはレバー２２が設けられ、空調換気装置１の一側面にはこのレバー２２を外部に突出させるための口が設けられている。これにより、空調換気装置１の外部から第二のシャッタ１７を操作して、室外吸込口１０を開閉することが可能となる。
【００２６】
また、図２（ｂ）に示すように、第一のシャッタ１６はケーシング面１４上を図の左右方向に移動自在に設けられている。この第一のシャッタ１６にはレバー２３が設けられ、空調換気装置１の一側面にはこのレバー２３を外部に突出させるための口が設けられている。これにより、空調換気装置１の外部から第一のシャッタ１６を操作して、室外吐出口８を開閉することが可能となる。
【００２７】
このような構成とすることで、室外吐出口８から排気すべき空気と室外吸込口１０から吸気する空気とが交わることがなくなるため、結露が生じることがなくなる。また、連通しない構造のため換気効率が低下しない。
【００２８】
また、図１に示したようにシャッタ支持部１９ａ、１９ｂにより閉鎖した状態で第一のシャッタ１６が建物外部からの空気によって変形し、隙間が発生し、外気が侵入するのを防いでいる。
【００２９】
この実施の形態１では仕切板１８とシャッタ支持部１９ａ、１９ｂとは異なる部材であり、これらを組み合わせているが、金型を作成し仕切板とシャッタ支持部を一体成形してもよい。
【００３０】
また、この実施の形態１では図１に示すように、仕切板１８の２箇所を相対する向きに曲げ、ケーシング面１４と略平行な面にシャッタを支持する働きを設けるとともに、室外吐出口８と室外吸込口１０とを開放した状態でのシャッタ格納スペースの増大を防ぎ空調換気装置が横方向に大きくなることを防いでいる。しかし、このようにシャッタを２枚設けることで空調換気装置の大きさが変化するか否かは、室外吐出口８と室外吸込口１０の口径、室外吐出口８と室外吸込口１０間の距離、シャッタの大きさ、及び熱交換器の位置によって決定されるものである。
すなわち、室外吐出口８と室外吸込口１０の口径が小さく、室外吐出口８と室外吸込口１０間の距離が長く、シャッタが十分小さく、熱交換器が室外吐出口８よりも室外吐出口８と室外吸込口１０の中央に近いものであれば、熱交換器からケーシング面までほぼ真っ直ぐな仕切板を設け、その両側にケーシング面と水平なシャッタ支持部を設けることで、図１の仕切板の形状としなくても空調換気装置の容量は増大しない。
【００３１】
さらに、この実施の形態１ではシャッタがスライドすることで室外吐出口と室外吸込口の開閉をすることとしているが、シャッタの機構としてはこのようにスライドする以外にも、例えば図１において、図の上下方向に回転軸を有していて、奥行き方向に回転することで開閉動作する機構や、図の奥行き方向に回転軸を有していて、上下方向に回転することで開閉動作する機構であってもよい。
【００３２】
実施の形態２．
この発明の実施の形態２について図３〜図５をもとに説明する。なお、これらの図において実施の形態１と構成上同一の部分には同一の番号を付し、説明は省略する。
【００３３】
図３は、実施の形態２における空調換気装置の略断面図である。図中、空間２０に設けられた第三のシャッタ２４の仕切板１８側の面にはラックを有する第一のラック板２５（図中、波線部分）が取り付けられており、空間２１に設けられた第四のシャッタ２６の仕切板１８側の面にはラックを有する第二のラック板２７（図中、波線部分）が取り付けられている。
【００３４】
この空間２０内の仕切板１８上には第一のラック板２５のラックと歯が噛み合う位置に第一の歯車２８が設けられており、空間２１の仕切板１８上には第二のラック板２７のラックと歯が噛み合う位置に第二の歯車２９が設けられている。これら第一の歯車２８と第二の歯車２９とは仕切板１８の一面に両側に対向して設置され、シャッタ支持部１９ｂ上に設けられたモータ３０の軸３１に固定されている。
【００３５】
また、空間２０のケーシング面１４上には室外吐出口８が完全に開放される位置に第三のシャッタ２４が達したことを検知するための第一の検知手段としてリミットスイッチ３２が設けられており、空間２１のシャッタ支持部１９ｂ上には室外吸込口１０が完全に開放される位置に第四のシャッタ２６が達したことを検知するための第二の検知手段としてリミットスイッチ３３が設けられている。
【００３６】
これらの構成を有する空調換気装置の機能について、図３のＩＩＩ−ＩＩＩ部分の略断面図である図４（ａ）及び、ＩＶ−ＩＶ部分の略断面図である図４（ｂ）を用いて説明する。
【００３７】
図４（ａ）に示すように、第四のシャッタ２６には第二のラック板２７が取り付けられ、この第二のラック板２７のラックと第二の歯車２９とが噛み合っているため、第二の歯車２９が回転することで仕切板１８上を図の左右方向に移動自在に設けられている。この図では室外吸込口１０が開放された状態であり、第四のシャッタ２６がリミットスイッチ３３に接している状態である。
【００３８】
また、図４（ｂ）に示すように、第三のシャッタ２４には第一のラック板２５が取り付けられ、この第一のラック板２５のラックと、第二の歯車２９と連結された第一の歯車２８とが噛み合っているため、第一の歯車２８が回転することでケーシング面１４上を図の左右方向に移動自在に設けられている。ただし、第三のシャッタ２４と第四のシャッタ２６は正反対の方向に向かって移動するようになっている。この図では室外吐出口８が開放された状態であり、第三のシャッタ２４がリミットスイッチ３２に接している状態である。なお、第一のラック板２５にはレバー３４が設けられ、空調換気装置１の一側面にはこのレバー３４を外部に突出させるための口が設けられている。これにより、空調換気装置１の外部から操作して、室外吐出口８と室外吸込口１０とを同時に開閉することも可能である。
【００３９】
このように、第三のシャッタ２４と第四のシャッタ２６とに、それぞれ第一のラック板２５と第二のラック板２７を取り付けて、これらを同軸に固定した第一の歯車２８と第二の歯車２９と噛み合わせることで、二つのシャッタを一つのレバー３４で操作することができるため操作の煩雑さが低減する。
【００４０】
また、一つのレバー３４によって室外吐出口８と室外吸込口１０との開閉を同時に行なえるため、片方のシャッタを開け忘れたり、閉め忘れたりすることを防止できる。
【００４１】
図５は、実施の形態２における空調換気装置の回路図である。なお、この図では要部のみの回路構成を単純化して示している。この図を基に、歯車をモータで駆動してシャッタの開閉を行なう方法について説明する。
【００４２】
空調換気装置１を長期間停止する場合に外気が室内に侵入することを防止するために室外吐出口８及び室外吸込口１０を閉じるには、スイッチＳＷ１をａ側に投入する。これにより電源３５と接続されたモータ３０が正回転して、このモータ３０の軸３１に固定されている第一の歯車２８及び第二の歯車２９が回転し、第一の歯車２８と噛み合う第一のラック板２５が取り付けられた第三のシャッタ２４が左方向に移動して室外吐出口８を閉じ、同時に、第二の歯車２９と噛み合う第二のラック板２７が取り付けられた第四のシャッタ２６が右方向に移動して室外吸込口１０を閉じる。
【００４３】
逆に、空調換気装置１を運転する場合に室外吐出口８及び室外吸込口１０を開けるには、スイッチＳＷ１をｂ側に投入する。これにより電源３５と接続されたモータ３０が逆回転して、このモータ３０の軸３１に固定されている第一の歯車２８及び第二の歯車２９が回転し、第一の歯車２８と噛み合う第一のラック板２５が取り付けられた第三のシャッタ２４が右方向に移動して室外吐出口８を開き、同時に、第二の歯車２９と噛み合う第二のラック板２７が取り付けられた第四のシャッタ２６が左方向に移動して室外吸込口１０を開ける。
このようにして開放動作を始めた第三のシャッタ２４は、やがてリミットスイッチ３２に接触する。これにより常開接点３６が閉じる。第四のシャッタ２６についても同様で、リミットスイッチ２９に接触して常開接点３７が閉じる。次いで、スイッチＳＷ１をａ、ｂどちらにも接触しない位置に戻し、スイッチＳＷ２を投入することで、電源３５と羽根用モータ２が接続され、換気が始まる。
【００４４】
このようにすることで、シャッタの開閉を自動的にすることができる。また、リミットスイッチを二つ設け、それぞれにシャッタが接触しなければ換気運転用の羽根用モータ２に電気が流れない構成のため、誤ってシャッタ閉鎖時に換気運転することによる羽根用モータ２への過負荷を防止できる。
【００４５】
このスイッチの動作はリモコン操作とすることも当然可能であり、このようにすれば離れた位置で操作できるため使いやすくなる。
【００４６】
なお、これらリミットスイッチは各シャッタの移動に際してモータを用いず、手動で行なう場合にも、各シャッタが閉鎖状態であるにもかかわらず誤って換気運転してしまうことを防止できるため有効である。
【００４７】
【発明の効果】
熱交換器と室外吐出口との間の排気通風路に設けられ室外吐出口を開閉自在な第一のシャッタと、室外吸込口と熱交換器との間の給気通風路に設けられ室外吸込口を開閉自在な第二のシャッタと、一端を熱交換器に接続し他端を室外吸込口と室外吐出口との間のケーシング面に接続して排気通風路の空気と給気通風路の空気が交わらないように排気通風路と給気通風路との間を仕切る仕切板とを備えるので、シャッタ近傍での吐出する排気が室外吸込口に吸われることを防止し、結露を防ぐとともに換気効率の低下を防ぐことができる。
【００４８】
また、排気通風路に設けられ第一のシャッタに対して室外吐出口と反対側にケーシング面に略平行な面を有するシャッタ支持部と、給気通風路に設けられ第二のシャッタに対して室外吸込口と反対側にケーシング面に略平行な面を有するシャッタ支持部とを備えるので、換気運転停止時の建物外部から流入する空気によって生じる圧力によりシャッタが変形するのを防ぐことができる。
【００４９】
また、第一のシャッタが室外吐出口を開放しているか否かを検知する第一の検知手段と、第二のシャッタが室外吸込口を開放しているか否かを検知する第二の検知手段とを有し、第一の検知手段及び第二の検知手段がともに開放していることを検知できなければ羽根用モータを駆動させないので、
結露を防ぐことができるとともに、シャッタの開け忘れによるモータへの過負荷を防止できる。
【００５０】
さらに、仕切板は、室外吸込口と室外吐出口とを有する壁面と略平行な中間部と、中間部に対して略直角な第一の端部と、中間部に対して第一の端部と反対方向に略直角な第二の端部とを有し、第一の端部から第二の端部までの距離は第一のシャッタ及び第二のシャッタのいずれか長い方の長さ以上であるので、
換気運転中にシャッタを格納するスペースが小さくて済み、装置の大型化を防ぐことができる。
【００５１】
またさらに、第一のシャッタは、室外吐出口を開放する状態では排気通風路内の仕切板の中間部上に設置され、第二のシャッタは、室外吸込口を開放する状態では給気通風路内の仕切板の中間部上に設置されるので、
室外吸込口から吸込まれる空気を効率よく給気用羽根に集めることができるため換気効率が向上する。
【００５２】
さらにまた、回転自在な回転軸を有し、前記回転軸は第一のシャッタと連動して回転し、前記回転軸の回転に連動して第二のシャッタが移動するので、
二つシャッタが一軸で操作可能となる。
【００５３】
また、回転軸の一端はモータに接続され、モータによる回転軸の回転に連動して第一のシャッタ及び第二のシャッタが移動するので、
リモコン等による遠隔操作などの適用範囲が広がる。
【００５４】
さらに、ラックを有する第一のシャッタと、ラックと噛み合う第一の歯車と、第一の歯車と同軸上に設置され第一の歯車と連動する第二の歯車と、第二の歯車と噛み合うラックを有する第二のシャッタとを有するので、
歯車を回転させる力を直線方向への力へと変換できるため、スライドして開閉するシャッタを一軸で操作できる。
【図面の簡単な説明】
【図１】  この発明の実施の形態１における空調換気装置の略断面図である。
【図２】  この発明の実施の形態１における空調換気装置の略断面図である。
【図３】  この発明の実施の形態２における空調換気装置の略断面図である。
【図４】  この発明の実施の形態２における空調換気装置の略断面図である。
【図５】  この発明の実施の形態２における空調換気装置の回路図である。
【図６】  従来の空調換気装置の略断面図である。
【図７】  従来のシャッタの構成図である。
【符号の説明】
１  空調換気装置、  ２  モータ、  ３  排気用羽根、  ４  室内吸込口、  ５  第一の排気通風路、  ６  熱交換器、  ７  第二の排気通風路、  ８  室外吐出口、  ９  給気用羽根、  １０  室外吸込口、  １１  第一の給気通風路、１２  第二の給気通風路、  １３  室内吐出口、  １４  ケーシング面、  １５  壁、  １６  第一のシャッタ、  １７  第二のシャッタ、  １８  仕切板、１９ａ  第一のシャッタ支持部、  １９ｂ  第二のシャッタ支持部、  ２０  空間、  ２１  空間、  ２２  レバー、  ２３  レバー、  ２４  第三のシャッタ、  ２５  第一のラック板、  ２６  第四のシャッタ、  ２７  第二のラック板、  ２８  第一の歯車、  ２９  第二の歯車、  ３０  モータ、  ３１  軸、３２  リミットスイッチ、  ３３  リミットスイッチ、  ３４  レバー、  ３５  電源、  ３６  常開接点、  ３７  常開接点。
【図１】
0004400005.tif 000002
【図２】
0004400005.tif 000003
【図３】
0004400005.tif 000004
【図４】
0004400005.tif 000005
【図５】
0004400005.tif 000006
【図６】
0004400005.tif 000007
【図７】
0004400005.tif 000008